(57)【要約】【課題】外光を遮光する必要がない場合において遮光部材が邪魔にならない表示装置を提供する。【解決手段】装置本体の筐体４と、画像を表示する表示部１０と、前記筐体に対して閉状態または開状態となるように前記表示部を移動可能に支持する支持部１２と、前記表示部に差し込む外光を遮光する遮光部材１６と、前記筐体に対して閉状態または開状態となるように前記遮光部材を回動可能に支持する遮光部材支持部１７とを備え、前記遮光部材は、前記遮光部材が閉状態となるように回動され、かつ前記表示部が閉状態となるように移動された状態において前記表示部と前記筐体との間に収納され、前記遮光部材が開状態となるように回動され、かつ前記表示部が閉状態となるように移動された状態において前記表示部に差し込む外光を遮光することを特徴とする。【選択図】図２
2013137367.tif 000002
【特許請求の範囲】
【請求項１】
装置本体の筐体と、
画像を表示する表示部と、
前記筐体に対して閉状態または開状態となるように前記表示部を移動可能に支持する支持部と、
前記表示部に差し込む外光を遮光する遮光部材と、
前記筐体に対して閉状態または開状態となるように前記遮光部材を回動可能に支持する遮光部材支持部とを備え、
前記遮光部材は、前記遮光部材が閉状態となるように回動され、かつ前記表示部が閉状態となるように移動された状態において前記表示部と前記筐体との間に収納され、前記遮光部材が開状態となるように回動され、かつ前記表示部が閉状態となるように移動された状態において前記表示部に差し込む外光を遮光することを特徴とする表示装置。
【請求項２】
前記支持部は、前記筐体に対して前記表示部を回動可能に支持することを特徴とする請求項１記載の表示装置。
【請求項３】
前記支持部は、前記筐体に対して前記表示部を回動させるための回動軸を備え、
前記遮光部材支持部は、前記筐体に対して前記遮光部材を回動させるための回動軸を備え、
前記支持部の回動軸と前記遮光部材支持部の回動軸とは同一平面内に位置することを特徴とする請求項２記載の表示装置。
【請求項４】
前記支持部は、さらに前記表示部の表示画面の向きを変更させるための回動軸を備えることを特徴とする請求項１〜３の何れか一項に記載の表示装置。
【請求項５】
前記遮光部材支持部は、前記表示部の前記支持部が設けられていない縁部と前記筐体の縁部との間に取付けられていることを特徴とする請求項１〜４の何れか一項に記載の表示装置。
【請求項６】
前記遮光部材が前記筐体に対して開状態となるように前記遮光部材を付勢する付勢部材と、
前記遮光部材が前記筐体に対して閉状態となるように前記遮光部材を係止する係止部材とを備えることを特徴とする請求項１〜５の何れか一項に記載の表示装置。
【請求項７】
前記遮光部材の回動角度を維持する維持部材を備えることを特徴とする請求項１〜５の何れか一項に記載の表示装置。
【請求項８】
前記遮光部材を支持する遮光部材支持部は、前記支持部が設けられていない前記筐体の縁部の中の少なくとも一つの縁部に備えられていることを特徴とする請求項１〜７の何れか一項に記載の表示装置。
【請求項９】
被写体を撮影する撮影部を備え、
前記表示部は、前記撮影部により撮影された前記被写体の画像を表示することを特徴とする請求項１〜８の何れか一項に記載の表示装置。
【発明の詳細な説明】
【技術分野】
【０００１】
本発明は、表示装置に関するものである。
【背景技術】
【０００２】
従来、カメラの表示部に差し込む外光を遮光するための遮光部材を備えた撮影機用カバーが知られている（例えば、特許文献１参照）。この撮影機用カバーをカメラに装着し、遮光部材を開いてカメラの表示部に差し込む外光を遮光することにより、表示部に表示された画像を見やすくすることができる。
【先行技術文献】
【特許文献】
【０００３】
【特許文献１】特開２００４−１２０１０３号公報
【発明の概要】
【発明が解決しようとする課題】
【０００４】
しかし、この撮影機用カバーにおいては、外光を遮光する必要がない場合においても遮光部材を開いて表示部に表示された画像を観察しなければならず、遮光部材がカメラの取り扱いの邪魔になるという問題があった。
【０００５】
本発明の目的は、外光を遮光する必要がない場合において遮光部材が邪魔にならない表示装置を提供することである。
【課題を解決するための手段】
【０００６】
本発明の表示装置は、装置本体の筐体と、画像を表示する表示部と、前記筐体に対して閉状態または開状態となるように前記表示部を移動可能に支持する支持部と、前記表示部に差し込む外光を遮光する遮光部材と、前記筐体に対して閉状態または開状態となるように前記遮光部材を回動可能に支持する遮光部材支持部とを備え、前記遮光部材は、前記遮光部材が閉状態となるように回動され、かつ前記表示部が閉状態となるように移動された状態において前記表示部と前記筐体との間に収納され、前記遮光部材が開状態となるように回動され、かつ前記表示部が閉状態となるように移動された状態において前記表示部に差し込む外光を遮光することを特徴とする。
【発明の効果】
【０００７】
本発明の表示装置によれば、外光を遮光する必要がない場合において遮光部材が邪魔にならないようにすることができる。
【図面の簡単な説明】
【０００８】
【図１】実施の形態に係るデジタルカメラの前面を示す斜視図である。
【図２】実施の形態に係るデジタルカメラの背面を示す斜視図である。
【図３】実施の形態に係るデジタルカメラを側面から視た図である。
【図４】実施の形態に係るデジタルカメラにおけるモニターシェードの収納状態を示す図である。
【図５】実施の形態に係るデジタルカメラにおいて液晶モニタを回動させた状態を示す図である。
【図６】実施の形態に係るデジタルカメラにおいて液晶モニタを反転させた状態を示す図である。
【図７】実施の形態に係るデジタルカメラにおいてすべてのモニターシェードが開いた状態を示す図である。
【図８】実施の形態に係るデジタルカメラにおいてモニターシェードにより外光を遮光する状態を示す図である。
【図９】実施の形態に係るデジタルカメラにおいてチルト可動方式の液晶モニタを備えた場合を示す図である。
【発明を実施するための形態】
【０００９】
以下、図面を参照して本発明の実施の形態に係る表示装置についてデジタルカメラを例に説明する。図１は、実施の形態に係るデジタルカメラの前面を示す斜視図である。デジタルカメラ２は、筐体４を備え、筐体４の前面には、被写体光を図示しない撮像素子に入射させる撮影レンズ６が設けられている。また、筐体４の上面には、撮影指示を行うシャッタボタン８が設けられている。
【００１０】
図２は、実施の形態に係るデジタルカメラ２の背面を示す斜視図である。筐体４の背面には矩形平面状の液晶モニタ１０等を収納するための段差部１１が設けられ、段差部１１の下側には、液晶モニタ１０を自由な方向に回動させることを可能とするバリアングル機構１２が設けられている。ここで、バリアングル機構１２には、液晶モニタ１０を上下方向に開閉するための水平回動軸１４、及び液晶モニタ１０を左右方向に回動させて画像を表示する表示画面１０ａ（図５参照）の向きを変更するための垂直回動軸１５が備えられている。なお、液晶モニタ１０の表示画面１０ａが設けられている面の反対側の面を背面１０ｂとして以下の説明を行う。
【００１１】
また、筐体４の背面には、液晶モニタ１０の表示画面１０ａに差し込む外光を遮光するためのモニターシェード１６、及びモニターシェード１６を開閉自在に支持するヒンジ１７が設けられている。
【００１２】
図３は、実施の形態に係るデジタルカメラ２を側面から視た図である。図３に示すように、液晶モニタ１０が閉じた状態において、モニターシェード１６は、筐体４の背面と液晶モニタ１０との間の隙間１８に収納されている。ここで、厚みを有するヒンジ１７は、液晶モニタ１０の上端部よりも筐体４の上縁部に近い位置に取付けられている。
【００１３】
図４は、筐体４の背面におけるモニターシェード１６の収納状態がわかるように、バリアングル機構１２により液晶モニタ１０を手前側に回動させて液晶モニタ１０を開いた状態を示す図である。筐体４の背面の段差部１１の上部には、ヒンジ１７ａを軸として上側に開くモニターシェード１６ａ、ヒンジ１７ｂを軸として左側に開くモニターシェード１６ｂ、及びヒンジ１７ｃを軸として右側に開くモニターシェード１６ｃが取付けられている。
【００１４】
ここで、ヒンジ１７ａには、モニターシェード１６ａが常時上側に開くように付勢する図示しない付勢ばねが備えられている。また、ヒンジ１７ｂには、モニターシェード１６ｂが常時左側に開くように付勢する図示しない付勢ばねが備えられている。また、ヒンジ１７ｃには、モニターシェード１６ｃが常時右側に開くように付勢する図示しない付勢ばねが備えられている。
【００１５】
また、筐体４の背面の中央部には、モニターシェード１６ａを閉じた状態に係止するためのフック２０が設けられている。ここで、フック２０により係止されたモニターシェード１６ａがモニターシェード１６ｂの上部、及びモニターシェード１６ｃの上部に覆い被さることにより、モニターシェード１６ｂ、及びモニターシェード１６ｃが閉じた状態に係止される。
【００１６】
次に、図面を参照して本発明の実施の形態に係るデジタルカメラ２において、外光を遮光した状態で液晶モニタ１０の表示画面１０ａを観察するための操作について説明する。まず、操作者は、液晶モニタ１０が閉じた状態において（図２参照）、バリアングル機構１２により液晶モニタ１０を手前側に回動させて液晶モニタ１０を開く（図４参照）。次に、図５に示すように、液晶モニタ１０を垂直回動軸１５回りに回動させ、図６に示すように、液晶モニタ１０の背面１０ｂと表示画面１０ａの向きを反転させる。
【００１７】
次に、図６に示す矢印のように、操作者がフック２０を時計回りにスライドさせると、フック２０の先端部がモニターシェード１６ａから外れ、モニターシェード１６ａが係止された状態から解放される。そして、モニターシェード１６ａが付勢ばねの弾発力によって上側に開く。モニターシェード１６ａが開くと、モニターシェード１６ｂ、及びモニターシェード１６ｃが係止された状態から解放される。そして、モニターシェード１６ｂが付勢ばねの弾発力によって左側に開き、モニターシェード１６ｃが付勢ばねの弾発力によって右側に開く。
【００１８】
次に、図７に示すように、すべてのモニターシェード１６が開いた状態において、操作者は、バリアングル機構１２により開いた状態の液晶モニタ１０を筐体４の背面側に回動させ、図８に示すように、液晶モニタ１０を閉じた状態に戻して操作を完了する。これにより、液晶モニタ１０の上側がモニターシェード１６ａによって覆われ、デジタルカメラ２の上側から液晶モニタ１０の表示画面１０ａに差し込む外光が遮光される。同様にして、液晶モニタ１０の左側がモニターシェード１６ｂに覆われてデジタルカメラ２の左側から液晶モニタ１０の表示画面１０ａに差し込む外光が遮光され、液晶モニタ１０の右側がモニターシェード１６ｃに覆われてデジタルカメラ２の右側から液晶モニタ１０の表示画面１０ａに差し込む外光が遮光される。
【００１９】
この実施の形態に係るデジタルカメラ２によれば、筐体４の背面と液晶モニタ１０との間の隙間１８にモニターシェード１６を収納し、必要に応じてモニターシェード１６を開くことができるため、外光を遮光する必要がない場合にモニターシェード１６がデジタルカメラ２の取り扱いの邪魔にならないようにすることができる。また、厚みを有するヒンジ１７を液晶モニタ１０の縁部と筐体４の縁部との間に配置することにより（図２、３参照）、厚みの少ないモニターシェード１６のみを筐体４の背面と液晶モニタ１０との間に収納させ、デジタルカメラ２の筐体４を薄くすることができる。
【００２０】
なお、上述の実施の形態において、モニターシェード１６を収納する場合に、表示画面１０ａが外側を向くようにして液晶モニタ１０を閉じてもよい。これにより、操作者は、外光を遮光する必要がなくモニターシェード１６を開かずにデジタルカメラ２を使用する場合、そのまま表示画面１０ａに表示された画像を観察することができる。
【００２１】
また、上述の実施の形態において、フック２０に代えて磁石を筐体４の背面の中央部に設け、磁石を用いてモニターシェード１６を閉じた状態に保持するようにしてもよい。これにより、フック２０をスライドさせる操作（図６参照）を行わずに、簡単にモニターシェード１６を開くことができる。
【００２２】
また、上述の実施の形態において、ヒンジ１７にクリック機構を設け、モニターシェード１６を段階的に所定の傾斜角度に設定できるようにしてもよい。これにより、モニターシェード１６を係止するためのフック２０等の部材が不要となり、筐体４をさらに薄くすることができる。また、ヒンジ１７が所定の摩擦力を有するようにし、摩擦力によりモニターシェード１６を任意の角度に設定できるようにしてもよい。
【００２３】
また、上述の実施の形態において、バリアングル機構１２を筐体４の背面の左側または右側の縁部に沿って取付けるようにし、液晶モニタ１０を左側または右側に開くことができるようにしてもよい。
【００２４】
また、上述の実施の形態においては、バリアングル機構１２により液晶モニタ１０を自由な方向に回動させることができる場合を例に説明したが（図２参照）、液晶モニタの可動方式は、実施の形態において説明した例に限定されない。例えば、デジタルカメラの背面にチルト可動方式の液晶モニタを備えるようにしてもよい。具体的には、図９に示すように、デジタルカメラ２００には、液晶モニタ１０を開閉させるための開閉機構２２が備えられる。そして、開閉機構２２には、開閉機構２２を筐体４に対して上下方向に開閉するための第１水平回動軸２４、及び筐体４に対して開かれた液晶モニタ１０の向きを上下方向に変更する第２水平回動軸２６が備えられる。この場合においても、筐体４の背面と液晶モニタ１０との間の隙間１８にモニターシェード１６を収納し、必要に応じてモニターシェード１６を開くことができる。
【００２５】
また、上述の実施の形態において、モニターシェード１６を支持する機構は、モニターシェード１６を開閉自在に支持する機能を有していればヒンジに限定されない。
【００２６】
また、上述の実施の形態において、表示装置は、モニターシェードを用いて表示画面に差し込む外光を遮光する機能を有する装置であればデジタルカメラに限定されない。
【符号の説明】
【００２７】
２…デジタルカメラ、４…筐体、６…撮影レンズ、８…シャッタボタン、１０…液晶モニタ、１０ａ…表示画面、１０ｂ…背面、１１…段差部、１２…バリアングル機構、１４…水平回動軸、１５…垂直回動軸、１６…モニターシェード、１７…ヒンジ、１８…隙間、２０…フック
【図１】
2013137367.tif 000003
【図２】
2013137367.tif 000004
【図３】
2013137367.tif 000005
【図４】
2013137367.tif 000006
【図５】
2013137367.tif 000007
【図６】
2013137367.tif 000008
【図７】
2013137367.tif 000009
【図８】
2013137367.tif 000010
【図９】
2013137367.tif 000011